(57)【要約】【課題】ディスクの内周側と外周側とで相違するサスペンションワイヤーを使用せずに対物レンズがディスクの面ぶれによる傾きと同方向に傾いて変位されるようにした対物レンズ駆動装置を提供することを課題とする。【解決手段】レンズホルダー２とフレーム９に取り付けられる取付板１０とにディスクの内周側及び外周側に少なくとも２本ずつのサスペンションワイヤーをそれぞれ架設してレンズホルダー２をフレーム９に対して変位可能に弾性的に支持し、各サスペンションワイヤーにディスクの内周側及び外周側にそれぞれダンピング特性の相違する第１及び第２ダンプ剤１６及び１７を囲繞すると共に、第２ダンプ剤１７として第１ダンプ剤１６よりダンピング効果の弱いものを使用している。これによりディスクの外周側のサスペンションワイヤー５ｃ，５ｄをディスクの内周側のサスペンションワイヤー５ａ，５ｂより動き易くしている。【選択図】図１
2004199729.tif 000002
【特許請求の範囲】
【請求項１】
ディスクに照射させる光ビームのフォーカス制御が行えるべく対物レンズを保持するレンズホルダーがフレームに対して変位可能に支持される対物レンズ駆動装置であって、前記レンズホルダーとフレームに取り付けられる取付板とにディスクの内周側及び外周側に少なくとも２本ずつのサスペンションワイヤーをそれぞれ架設して前記レンズホルダーをフレームに対して変位可能に弾性的に支持し、前記各サスペンションワイヤーにディスクの内周側及び外周側にそれぞれダンピング特性の相違する第１及び第２ダンプ剤を囲繞すると共に、第２ダンプ剤として第１ダンプ剤よりダンピング効果の弱いものを使用したことを特徴とする対物レンズ駆動装置。
【請求項２】
フレームには第１ダンプ剤及び第２ダンプ材が対応するサスペンションワイヤーを囲繞するべくそれぞれ充填される空間が設けられたサポート部材が固定され、取付板はこのサポート部材を介してフレームに固定されることを特徴とする請求項１記載の対物レンズ駆動装置。
【請求項３】
第１ダンプ剤及び第２ダンプ材が両方ともシリコーン樹脂系であることを特徴とする請求項１記載の対物レンズ駆動装置。
【請求項４】
第１ダンプ剤と第２ダンプ剤とで一次共振周波数の相違するものを使用して前記第２ダンプ剤を前記第１ダンプ剤よりダンピング効果を弱くしたことを特徴とする請求項１、あるいは請求項３記載の対物レンズ駆動装置。
【発明の詳細な説明】
【０００１】
【発明の属する技術分野】
本発明は、ディスクに対して信号読み取り、あるいは信号書き込みを行う光学ヘッドに備えられる対物レンズ駆動装置に関する。
【０００２】
【従来の技術】
対物レンズ駆動装置は、一般に対物レンズが保持されるレンズホルダーが弾性支持部材によってフレームと連結されており、これによりフレームに対してレンズホルダーが変位可能に弾性的に支持される構成となっている。
【０００３】
前記弾性支持部材としてはサスペンションワイヤーが用いられることが多く、このようにサスペンションワイヤーが用いられる対物レンズ駆動装置は、互いに平行に架設される４本のサスペンションワイヤーの一端をそれぞれフレームに取り付けられる取付板に固定し、その各サスペンションワイヤーの他端をそれぞれレンズホルダーに固定することで各サスペンションワイヤーによりレンズホルダーを支持している。
【０００４】
ところで、ディスクの面ぶれによる傾きは、ターンテーブルに装着されるディスクの中心から外周に向かって発生する。その為、フォーカス制御により対物レンズが駆動される際にディスクの面ぶれによる傾きと同方向に傾いて対物レンズが変位されれば、ディスクの面ぶれに有利な対物レンズ駆動装置とすることが出来る。
【０００５】
このような対物レンズ駆動装置としては、ディスクの外周側のサスペンションワイヤーをディスクの内周側のサスペンションワイヤーに比べてコンプライアンスの大きなものを使用し、対物レンズがディスクの面ぶれによる傾きと同方向に傾いて変位されるようにしたものが知られている（例えば、特許文献１参照）。
【０００６】
【特許文献１】
特開昭６４−５２２３３号公報
【０００７】
【発明が解決しようとする課題】
しかしながら、この対物レンズ駆動装置は、ディスクの内周側と外周側とでサスペンションワイヤーのコンプライアンスを異ならせるために２種類のサスペンションワイヤーを必要とするので、組立作業時における２種類のサスペンションワイヤーの混同が問題となると共に、作業性に問題があった。
【０００８】
本発明は、前述の問題点に鑑み、ディスクの内周側と外周側とで相違するサスペンションワイヤーを使用せずに対物レンズがディスクの面ぶれによる傾きと同方向に傾いて変位されるようにした対物レンズ駆動装置を提供することを目的とする。
【０００９】
【課題を解決するための手段】
本発明は、レンズホルダーとフレームに取り付けられる取付板とにディスクの内周側及び外周側に少なくとも２本ずつのサスペンションワイヤーをそれぞれ架設して前記レンズホルダーをフレームに対して変位可能に弾性的に支持し、前記各サスペンションワイヤーにディスクの内周側及び外周側にそれぞれダンピング特性の相違する第１及び第２ダンプ剤を囲繞すると共に、第２ダンプ剤として第１ダンプ剤よりダンピング効果の弱いものを使用している。これによりディスクの外周側に配置されるサスペンションワイヤーをディスクの内周側に配置されるサスペンションワイヤーより動き易くしている。
【００１０】
【実施例】
図１は本発明に係る対物レンズ駆動装置の一実施例を示す斜視図である。
【００１１】
対物レンズ１はレンズホルダー２の片側にオフセットされて保持されており、レンズホルダー２の透孔の内壁には周囲にフォーカスコイル３が装着され、このフォーカスコイル３の一辺の両脇にそれぞれトラッキングコイル４ａ，４ｂが装着されている。
【００１２】
レンズホルダー２の対物レンズ１を挟んだ各側には、レンズホルダー２を挟んでディスクの径方向（ラジアル方向）に異なる位置にそれぞれ上下２本ずつ架設されるサスペンションワイヤー５ａ〜５ｄの一端側が接着剤により固定される固定板６ａ及び６ｂが一体成形されている。
【００１３】
前記各サスペンションワイヤー５ａ〜５ｄの一端は、フォーカスコイル３及びトラッキングコイル４ａ，４ｂの各端末を絡げた各突部７（一部図示されず）にハンダ付けされて前記各端末に接続される。
【００１４】
各サスペンションワイヤー５ａ〜５ｄの他端は、サポート部材８と共にネジ止めによりフレーム９に取り付けられるプリント配線板より成る取付板１０にそれぞれハンダ付けにより固定されており、これによりレンズホルダー２はサスペンションワイヤー５ａ〜５ｄによりにフレームに変位可能に弾性的に支持される。
【００１５】
一対のマグネット１１及び１２はフォーカスコイル３及びトラッキングコイル４ａ，４ｂの有効領域を挟んで同一磁極面（Ｎ極）が対向して配置されている。各マグネット１１及び１２のＳ極の磁極面はそれぞれ外部ヨーク１３及び１４が付設されており、これらの外部ヨーク１３及び１４はフレーム９の底板を板金加工により折曲してフレーム９と一体的に形成されている。
【００１６】
マグネット１１及び１２から発生される磁束は、フォーカスコイル３及びトラッキングコイル４ａ，４ｂの有効領域に作用し、フォーカスコイル３にフォーカスエラー信号を供給することによりディスクの信号面に光ビームを合焦させるフォーカス制御が行われるようにレンズホルダー２と共に対物レンズ１が駆動され、トラッキングコイル４ａ，４ｂにトラッキングエラー信号を供給することによりディスクの信号トラックに光ビームを追従させるトラッキング制御が行われるようにレンズホルダー２と共に対物レンズ１が駆動される。
【００１７】
ここで、４本のサスペンションワイヤー５ａ〜５ｄは全て同一材質のベリリウム銅が使用されており、同一有効長となっていると共に、線径も同一となっている。その為、各サスペンションワイヤー５ａ〜５ｄのコンプライアンスは同一に設定されている。
【００１８】
ところで、サポート部材８には各サスペンションワイヤー５ａ〜５ｄを囲繞するべくそれぞれダンプ剤が充填される空間１５ａ〜１５ｄが設けられている。
【００１９】
その為、各サスペンションワイヤー５ａ〜５ｄは、空間１５ａ〜１５ｄにそれぞれ充填されるダンプ剤によりダンピング効果が付与される。
【００２０】
空間１５ａ〜１５ｄには、サスペンションワイヤーのディスクの内周側及び外周側とでそれぞれダンピング特性の相違するシリコーン樹脂系の第１ダンプ剤１６及び第２ダンプ剤１７が充填される。
【００２１】
したがって、サスペンションワイヤー５ａ〜５ｄは、ディスクの内周側及び外周側にそれぞれ配置されている２本ずつでダンピング効果が相違する。
【００２２】
この場合、ディスクの外周側のサスペンションワイヤー５ｃ、５ｄを囲繞する第２ダンプ剤１７は、ディスクの内周側のサスペンションワイヤー５ａ、５ｂを囲繞する第１ダンプ剤１６よりダンピング特性の小さいものが使用される。
【００２３】
例えば、第１ダンプ剤１６及び第２ダンプ剤１７として製造会社の相違するシリコーン系接着剤（成分：シリコーン樹脂、架橋剤、光重合開始剤、充填剤）を使用し、具体的には、第１ダンプ剤１６としては協立化学（会社名）製３７６Ｋ３（製品番号）を使用し、第２ダンプ剤１７としてはスリーボンド（会社名）製３１６８（製品番号）を使用する。
【００２４】
前記第１ダンプ剤１６及び前記第２ダンプ剤１７は先鋭度Ｑ値が同等であると共に、第１ダンプ剤１６は一次共振周波数ｆ０＝５５Ｈｚであり、前記第２ダンプ剤１７は一次共振周波数ｆ０＝５０Ｈｚである。
【００２５】
サスペンションワイヤー５ａ〜５ｄのダンピング効果は、ダンプ剤の一次共振周波数以下の直線領域が関係するので、特に、前記第１ダンプ剤１６及び前記第２ダンプ剤１７の一次共振周波数の違いによりディスクの外周側のサスペンションワイヤー５ｃ、５ｄをディスクの内周側のサスペンションワイヤー５ａ、５ｂディスクの内周側の各サスペンションワイヤー１５ａ、１５ｂに比べてダンピング効果を小さくしている。
【００２６】
これにより対物レンズ１をフォーカス方向に変位させた場合に対物レンズ１のラジアル方向のスキューをディスクの面ぶれによる傾きと同方向とすることが出来る。
【００２７】
【発明の効果】
以上のとおり、本発明によれば、各サスペンションワイヤーにディスクの内周側及び外周側にそれぞれダンピング特性の相違する第１及び第２ダンプ剤を囲繞するだけで対物レンズをディスクの面ぶれによる傾きと同方向に傾いて変位されるようにして面ぶれに有利な対物レンズ駆動装置が提供出来、ディスクの内周側と外周側とで相違するサスペンションワイヤーを使用しないので、作業性が良好である。
【図面の簡単な説明】
【図１】本発明に係る対物レンズ駆動装置の一実施例を示す斜視図である。
【符号の説明】
１          対物レンズ
２          レンズホルダー
５ａ，５ｂ，５ｃ，５ｄ          サスペンションワイヤー
８          サポート部材
９          フレーム
１０          取付板
１５ａ，１５ｂ，１５ｃ，１５ｄ          空間
１６          第１ダンプ剤
１７          第２ダンプ剤
【図１】
2004199729.tif 000003